(57)【特許請求の範囲】
【請求項１】
検索対象の資料情報に使用され、前記資料情報を検索するための専門的検索キーワードと、
前記専門的検索キーワードを検索するための販売品情報、基礎表現及び前記専門的検索キーワードに関し前記販売品情報が使用先との関連でどのように使用されるかについての関連情報を予め記憶する記憶部と、を有し、
前記専門的検索キーワード、前記販売品情報、前記基礎表現、前記関連情報は、相互に関連付けて記憶され、
検索者によって前記基礎表現及び前記販売品情報が入力され、これらと関連する検索対象の前記専門的キーワードが存在すると判断されると、入力された前記基礎表現及び前記販売品情報と関連付けられている前記専門的検索キーワードと、前記専門的検索キーワードと関連付けられている前記関連情報を抽出し、
前記専門的検索キーワード、前記専門的検索キーワードと関連付けられている前記関連情報及び前記入力された前記基礎表現を前記表示部に表示し、
表示された前記専門的検索キーワード、前記関連情報及び前記入力された前記基礎表現から検索者によって特定された事項に基づいて、検索が実行されることを特徴とする検索情報管理装置。
【請求項２】
検索者の属性情報である検索者属性情報と前記専門的検索キーワードは関連して記憶され、
入力された前記検索者属性情報が、予め記憶されている前記検索者属性情報と共通するときは、前記予め記憶されている前記検索者属性情報と関連する前記専門的検索キーワードを表示部に優先的に表示し、
入力された前記基礎表現が、予め記憶されている前記専門的検索キーワードと関連する予め記憶されている前記基礎表現に含まれていないときは、当該検索者が権限を有するか否かを判断し、権限を有するときは、前記入力された基礎情報と選択された対応する前記専門的検索キーワードとの組み合わせを他の操作者のために記憶し、
当該検索者が、前記権限を有しないときは、前記入力された前記基礎情報と選択された対応する前記専門的検索キーワードとの組み合わせの使用が複数回発生したときは、自動的にこれらの組み合わせを他の利用者が利用可能な状態で検索者の前記検索者属性情報と関連付けて記憶することを特徴とする請求項１に記載の検索情報管理装置。
【請求項３】
検索情報管理装置が、
検索対象の資料情報に使用され、前記資料情報を検索するための専門的検索キーワードと、
前記専門的検索キーワードを検索するための販売品情報、基礎表現及び前記専門的検索キーワードに関し前記販売品情報が使用先との関連でどのように使用されるかについての関連情報を予め記憶させ、
前記専門的検索キーワード、前記販売品情報、前記基礎表現、前記関連情報は、相互に関連付けて記憶され、
検索者によって前記基礎表現及び前記販売品情報が入力され、これらと関連する検索対象の前記専門的キーワードが存在すると判断されると、入力された前記基礎表現及び前記販売品情報と関連付けられている前記専門的検索キーワードと、前記専門的検索キーワードと関連付けられている前記関連情報を抽出し、
前記専門的検索キーワード、前記専門的検索キーワードと関連付けられている前記関連情報及び前記入力された前記基礎表現を前記表示部に表示し、
表示された前記専門的検索キーワード、前記関連情報及び前記入力された前記基礎表現から検索者によって特定された事項に基づいて、検索が実行されることを特徴とする検索情報管理装置の制御方法。
【請求項４】
検索情報を管理する検索情報管理装置に、
検索対象の資料情報に使用され、前記資料情報を検索するための専門的検索キーワードを検索するための販売品情報、基礎表現及び前記専門的検索キーワードに関し前記販売品情報が使用先との関連でどのように使用されるかについての関連情報を予め記憶させる工程、
前記専門的検索キーワード、前記販売品情報、前記基礎表現、前記関連情報は、相互に関連付けて記憶させる工程、
検索者によって前記基礎表現及び前記販売品情報が入力され、これらと関連する検索対象の前記専門的キーワードが存在すると判断されると、入力された前記基礎表現及び前記販売品情報と関連付けられている前記専門的検索キーワードと、前記専門的検索キーワードと関連付けられている前記関連情報を抽出し、前記専門的検索キーワード、前記専門的検索キーワードと関連付けられている前記関連情報及び前記入力された前記基礎表現を前記表示部に表示する工程、
表示された前記専門的検索キーワード、前記関連情報及び前記入力された前記基礎表現から検索者によって特定された事項に基づいて、検索が実行される工程、と実行させることを特徴とする検索情報管理プログラム。
【発明の詳細な説明】
【技術分野】
【０００１】
本発明は、膨大な資料から必要な資料を検索するための検索キーワード等の検索表現情報を提供するための検索情報管理装置、検索情報管理方法及び検索情報管理プログラムに関するものである。
【背景技術】
【０００２】
従来、企業等は、その営業等に使用するための資料を膨大に蓄積している。このように蓄積された資料から、企業等の従業者等が必要な資料を探し出すときは、これらの資料に含まれている文言等の検索キーワード等の検索表現情報を定め、この検索キーワードで資料の全文検索等を行う必要がある。
このため資料等に含まれている文言から、いかにして適切な検索キーワードを選択するかが重要で、この選択方法等について各種の提案がなされている（例えば、特許文献１）。
【先行技術文献】
【特許文献】
【０００３】
【特許文献１】特開平６―３１４２９６号公報
【発明の概要】
【発明が解決しようとする課題】
【０００４】
また、検索対象の資料の内容が専門的な場合は、一般人が通常は知得していない専門用語等の文言等が多く使用されている場合が多い。
そして、このような専門的な資料を検索するときは、その使用されている専門用語等を用いて検索を行う必要がある。
しかし、検索者が当該専門分野の情報に精通していない場合は、かかる専門用語等の知識がないため適切な検索表現情報である例えば、検索キーワードを選択することが困難であり、このため適切な検索ができないという問題があった。
【０００５】
そこで、本発明は、適切な専門的な検索キーワード等の検索表現情報を知得していない検索者でも専門性の高い資料等の検索を容易に行うことができる検索情報管理装置、検索情報管理方法及び検索情報管理プログラムを提供することを目的とする。
【課題を解決するための手段】
【０００６】
前記課題は、本発明によれば、検索対象の資料情報に使用され、前記資料情報を検索するための専門的検索キーワードと、前記専門的検索キーワードを検索するための販売品情報、基礎表現及び前記専門的検索キーワードに関し前記販売品情報が使用先との関連でどのように使用されるかについての関連情報を予め記憶する記憶部と、を有し、前記専門的検索キーワード、前記販売品情報、前記基礎表現、前記関連情報は、相互に関連付けて記憶され、検索者によって前記基礎表現及び前記販売品情報が入力され、これらと関連する検索対象の前記専門的キーワードが存在すると判断されると、入力された前記基礎表現及び前記販売品情報と関連付けられている前記専門的検索キーワードと、前記専門的検索キーワードと関連付けられている前記関連情報を抽出し、前記専門的検索キーワード、前記専門的検索キーワードと関連付けられている前記関連情報及び前記入力された前記基礎表現を前記表示部に表示し、表示された前記専門的検索キーワード、前記関連情報及び前記入力された前記基礎表現から検索者によって特定された事項に基づいて、検索が実行されることを特徴とする検索情報管理装置により達成される。。
【０００７】
前記構成によれば、検索表現情報は、検索表現情報と関連する表現情報である検索関連表現情報と関連付けて記憶され、検索関連表現情報には、資料情報に使用されていない表現情報を含んでいる。
また、入力された表現情報と関連付けられた検索表現情報を特定する構成となっている。
このため、資料情報の専門性が高く、検索者が検索キーワード等の検索表現情報を具体的に知得していない場合でも、自己が既に知得している他の文言等の表現情報を入力し、当該表現情報が基礎表現等の検索関連表現情報に含まれるときは、この基礎表現等と関連付けられている適切な検索キーワード等を自動的に抽出し、検索者に対して示される。
したがって、適切な専門的な検索キーワード等を知得していない検索者でも専門性の高い資料の検索を容易に行うことができる。
【０００９】
前記構成によれば、前記入力された前記表現情報に基づき特定された検索表現情報が検索者属性情報と関連付けられているときは、当該検索表現情報を優先的に使用すべき優先検索表現情報として出力される。
このため、検索者は、自己に最も適した資料をより確実に検索できる検索キーワード等の検索表現情報を容易に把握することができる。
【００１０】
好ましくは、前記検索情報管理装置は、検索者の属性情報である検索者属性情報と前記専門的検索キーワードは関連して記憶され、入力された前記検索者属性情報が、予め記憶されている前記検索者属性情報と共通するときは、前記予め記憶されている前記検索者属性情報と関連する前記専門的検索キーワードを表示部に優先的に表示し、入力された前記基礎表現が、予め記憶されている前記専門的検索キーワードと関連する予め記憶されている前記基礎表現に含まれていないときは、当該検索者が権限を有するか否かを判断し、権限を有するときは、前記入力された基礎情報と選択された対応する前記専門的検索キーワードとの組み合わせを他の操作者のために記憶し、当該検索者が、前記権限を有しないときは、前記入力された前記基礎情報と選択された対応する前記専門的検索キーワードとの組み合わせの使用が複数回発生したときは、自動的にこれらの組み合わせを他の利用者が利用可能な状態で検索者の前記検索者属性情報と関連付けて記憶することを特徴とする。
【００１１】
前記構成によれば、検索表現情報と関連付けられていない表現情報について、検索表現と表現情報の同一組み合わせの使用が複数回（５回）発生したときは、自動的にこれらの組み合わせに係る表現情報を検索表現情報と関連付けて他の利用者が利用可能な状態で登録する。
使用履歴のある検索表現情報と表現情報の全ての組み合わせを登録すると検索キーワードとしての精度が低下する。そこで、前記構成では、複数回、同一の組み合わせが発生したときにのみ他の利用者が利用可能な状態で登録することで、検索者にとって使用可能な表現情報の数を、その精度を低下させることなく増やすことができる。
したがって、検索者にとって使い易い装置となる。
【００１２】
前記課題は、本発明によれば、検索情報管理装置が、検索対象の資料情報に使用され、前記資料情報を検索するための専門的検索キーワードと、前記専門的検索キーワードを検索するための販売品情報、基礎表現及び前記専門的検索キーワードに関し前記販売品情報が使用先との関連でどのように使用されるかについての関連情報を予め記憶させ、前記専門的検索キーワード、前記販売品情報、前記基礎表現、前記関連情報は、相互に関連付けて記憶され、検索者によって前記基礎表現及び前記販売品情報が入力され、これらと関連する検索対象の前記専門的キーワードが存在すると判断されると、入力された前記基礎表現及び前記販売品情報と関連付けられている前記専門的検索キーワードと、前記専門的検索キーワードと関連付けられている前記関連情報を抽出し、前記専門的検索キーワード、前記専門的検索キーワードと関連付けられている前記関連情報及び前記入力された前記基礎表現を前記表示部に表示し、表示された前記専門的検索キーワード、前記関連情報及び前記入力された前記基礎表現から検索者によって特定された事項に基づいて、検索が実行されることを特徴とする検索情報管理装置の制御方法により達成される。
【００１３】
前記課題は、本発明によれば、検索情報を管理する検索情報管理装置に、検索対象の資料情報に使用され、前記資料情報を検索するための専門的検索キーワードを検索するための販売品情報、基礎表現及び前記専門的検索キーワードに関し前記販売品情報が使用先との関連でどのように使用されるかについての関連情報を予め記憶させる工程、前記専門的検索キーワード、前記販売品情報、前記基礎表現、前記関連情報は、相互に関連付けて記憶させる工程、検索者によって前記基礎表現及び前記販売品情報が入力され、これらと関連する検索対象の前記専門的キーワードが存在すると判断されると、入力された前記基礎表現及び前記販売品情報と関連付けられている前記専門的検索キーワードと、前記専門的検索キーワードと関連付けられている前記関連情報を抽出し、前記専門的検索キーワード、前記専門的検索キーワードと関連付けられている前記関連情報及び前記入力された前記基礎表現を前記表示部に表示する工程、表示された前記専門的検索キーワード、前記関連情報及び前記入力された前記基礎表現から検索者によって特定された事項に基づいて、検索が実行される工程、と実行させることを特徴とする検索情報管理プログラムにより達成される。
【発明の効果】
【００１４】
本発明は、適切な専門的な検索キーワード等の検索表現情報を知得していない検索者でも専門性の高い資料等の検索を容易に行うことができる検索情報管理装置、検索情報管理方法及び検索情報管理プログラムを提供できるという利点がある。
【図面の簡単な説明】
【００１５】
【図１】本発明に係る検索情報管理装置である例えば、管理サーバを有する検索キーワード管理システムを示す概略図である。
【図２】図１のＭＲ担当用端末及び学術担当用端末の主な構成を示す概略ブロック図である。
【図３】図１の管理サーバの主な構成を示す概略ブロック図である。
【図４】サーバ側第１の各種情報記憶部の主な内容を示す概略ブロック図である。
【図５】サーバ側第２の各種情報記憶部の主な内容を示す概略ブロック図である。
【図６】サーバ側第３の各種情報記憶部の主な内容を示す概略ブロック図である。
【図７】サーバ側第４の各種情報記憶部の主な内容を示す概略ブロック図である。
【図８】検索キーワード管理システムの主な動作例等を示す概略フローチャートである。
【図９】検索キーワード管理システムの主な動作例等を示す他の概略フローチャートである。
【図１０】検索キーワード管理システムの主な動作例等を示す他の概略フローチャートである。
【図１１】検索キーワード管理システムの主な動作例等を示す他の概略フローチャートである。
【図１２】検索キーワード管理システムの主な動作例等を示す他の概略フローチャートである。
【発明を実施するための形態】
【００１６】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１７】
図１は、本発明に係る検索情報管理装置である例えば、管理サーバ２０を有する検索キーワード管理システム１を示す概略図である。
本システム１は、例えば、Ａ製薬会社が管理サーバ２０を有し、この管理サーバ２０には、Ａ製薬会社が、その従業員等が業務に関し使用する資料情報である例えば、資料が、ＰＤＦ（Ｐｏｒｔａｂｌｅ  Ｄｏｃｕｍｅｎｔ  Ｆｏｒｍａｔ：ポータブル・ドキュメント・フォーマット）やＷＯＲＤ等の電子データ等で記憶されている。
この従業員には、例えば、各病院等でＡ製薬会社が販売する医薬品等の情報を、医師等の医療従事者等に提供する医療情報提供者が含まれる。
すなわち、医療情報提供者は、医薬品の適正使用のため医療従事者を訪問すること等により、医薬品の品質、有効性、安全性などに関する情報の提供、収集、伝達を主な業務として行う者であり、「ＭＲ」と呼ばれる。この「ＭＲ」は、「Ｍｅｄｉｃａｌ  ｒｅｐｒｅｓｅｎｔａｔｉｖｅ」の略となっている。
【００１８】
また、従業者には、開発中の医薬品の臨床データ等を収集するため、医師等にＡ製薬会社の医薬品の臨床用のデータ等を提供する学術担当者も含まれる。
そこで、本実施の形態では、図１の管理サーバ２０には、ＭＲ担当者や学術担当者が医師等との面談で使用する各種資料を電子データ等で格納し、管理する構成となっている。
【００１９】
一方、ＭＲ担当者や学術担当者は、医師等との面談に際し、携帯する端末であるＭＲ担当用端末１０ａ及び学術担当用端末１０ｂ等を有している。
これらＭＲ担当端末１０ａ及び学術担当用端末１０ｂは、図１に示すように、インターネット網２及び基地局３等を介して、管理サーバ２０と通信可能な構成となっている。
【００２０】
これらＭＲ担当用端末１０ａ及び学術担当用端末１０ｂは、例えば、タブレット端末となっており、このタブレット端末は、図１に示すように、その中央に、各種情報を入力すると共に表示する表示部である例えば、「タッチパネル１１ａ、１１ｂ」が配置されている。
【００２１】
タッチパネル１１ａ等は「位置入力装置付き表示装置」であって、液晶パネル等の表示装置とタッチパッド等の位置入力装置を組み合わせた電子部品である。したがって、画面上の表示を押すことで各種情報を入力することができると共に、各種情報を表示することができる構成となっている。
また、ＭＲ担当用端末１０ａ及び学術担当用端末１０ｂは、図１に示すように、各種情報を入力するための「入力ボタン１２ａ、１２ｂ」も備えている。
【００２２】
ＭＲ担当用端末１０ａ、学術担当用端末１０ｂ及び管理サーバ２０は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バス等を介して接続されている。
【００２３】
図２は、図１のＭＲ担当用端末１０ａ及び学術担当用端末１０ｂの主な構成を示す概略ブロック図である。
学術担当用端末１０ｂは、ＭＲ担当用端末１０ａと同様な構成であるため、以下、ＭＲ担当用端末１０ａのみについて説明する。
図２に示すように、ＭＲ担当用端末１０ａは、「端末制御部１３ａ」を有し、端末制御部１３ａは、管理サーバ２０等と通信等するための「端末側通信装置１４ａ」、図１に示す「タッチパネル１１ａ」や「入力ボタン１２ａ」を制御する他、各種情報を記憶する「端末側各種情報記憶部１５ａ」を制御する。
【００２４】
図３は、図１の管理サーバ２０の主な構成を示す概略ブロック図である。図３に示すように、管理サーバ２０は、「サーバ制御部２１」を有し、サーバ制御部２１は、図１のＭＲ担当用端末１０ａ及び学術担当用端末１０ｂ等と通信等するための「サーバ側通信装置２２」、各種情報を表示する「サーバ側ディスプレイ２３」及び各種情報を入力するための「サーバ側各種情報入力装置２４」等を制御する。
【００２５】
また、サーバ制御部２１は、図３に示すように「サーバ側第１の各種情報記憶部３０」、「サーバ側第２の各種情報記憶部４０」、「サーバ側第３の各種情報記憶部５０」及び「サーバ側第３の各種情報記憶部６０」を制御し、図４乃至図７は、それぞれ「サーバ側第１の各種情報記憶部３０」、「サーバ側第２の各種情報記憶部４０」、「サーバ側第３の各種情報記憶部５０」及び「サーバ側第４の各種情報記憶部６０」の主な内容を示す概略ブロック図である。これらの内容については後述する。
【００２６】
図８乃至図１２は、検索キーワード管理システム１の主な動作例等を示す概略フローチャートである。
本実施の形態では、Ａ製薬会社に所属しているＭＲが、例えば、自己が担当するＦ病院の脳内外科の医師から、自己が販売を担当するＡ製薬会社の医薬品である例えば、「薬剤Ｘ」と「吐き気」についての処方例等の資料の提供を求められた例に基づいて、以下説明する。
【００２７】
先ず、当該ＭＲは、医師から求められた資料を検索すべく、図１の自己のＭＲ担当用端末１０ａを操作し、Ａ製薬会社の管理サーバ２０にアクセスする。
管理サーバ２０は、図４に示すように、電子データ化された各種資料等が記憶されている例えば、「Ａ製薬会社の文献資料データベース３１」を有している。
【００２８】
ＭＲ担当用端末１０ａが管理サーバ２０にアクセスすると、図８のステップ（以下「ＳＴ」とする。）１に進む。
ＳＴ１では、図１のＭＲ担当用端末１０ａのタッチパネル１１ａに「文献資料検索を開始しますか？」との質問が表示される。
【００２９】
ＳＴ１で、タッチパネル１１ａに開始する旨の信号が入力されると、ＳＴ２へ進む。ＳＴ２では、「検索キーワードシステムを利用しますか？」との質問がタッチパネル１１ａに表示される。
本実施の形態では、操作者であるＭＲは、新人であって当該医療分野の専門用語等に精通していないため、自己で適切な検索表現情報（表現情報）である例えば、「検索キーワード」を入力することが困難である。そこで、図１の「検索キーワードシステム１」を利用する。
ＳＴ２で、タッチパネル１１ａに利用する旨の信号が入力されると、ＳＴ３へ進む。
【００３０】
ＳＴ３では、タッチパネル１１ａに操作者の「識別番号」の入力を求めると共に、「検索キーワード」を検索するための「薬剤」及び検索関連表現情報（表現情報）である例えば、「基礎表現」の入力を求める画面を表示する。
【００３１】
本実施の形態では、操作者であるＭＲは、医療分野の専門用語等に精通していないため、関連する吐き気と薬剤Ｘに関連する資料を、疾患名等の適切な検索キーワードで検索することができない。そこで、ＭＲは、後述するように、検索キーワードとしては不十分であるが「吐き気」を入力することになる。
なお、本実施の形態のＡ製薬会社の文献資料データベース３１では、疾患名等の専門用語等で検索することで適切な検索結果を出力できる構成となっている。
【００３２】
次いで、ＭＲは、タッチパネル１１ａに、自己の「識別番号」である「１２３４５」、検索したい薬剤である「薬剤Ｘ」、そして、ＭＲが知得している「検索キーワード」に関連すると思われる「基礎表現」である「吐き気」を入力する。
【００３３】
次いで、ＳＴ４へ進む。ＳＴ４では、「識別番号」、「薬剤」及び「基礎表現」の入力が終了したか否かを判断し、入力が終了したときは、ＳＴ５へ進む。
ＳＴ５では、入力された「識別番号」、「薬剤、と「基礎表現」である例えば、「１２３４５」、「薬剤Ｘ」及び「吐き気」を図４の「入力情報記憶部３２」に記憶する。
【００３４】
次いで、ＳＴ６へ進む。ＳＴ６では、図４の「暫定検索キーワード特定処理部（プログラム）３３」が動作して、図４の「入力情報記憶部３２」と図４の「検索キーワード関連情報記憶部３４」を参照する。
この「検索キーワード関連情報記憶部３４」には、特定の「検索キーワード」である例えば、「高血圧性脳症」と、検索者属性情報である例えば、ＭＲ（営業）等の「担当部」情報、外科等の例えば、診療科情報、「薬剤Ｘ」等の関連薬剤情報、そして、「吐き気」等の検索キーワードと関連する基礎表現である「関連基礎表現」情報が関連付けて記憶されている。
【００３５】
また、当該「検索キーワード」、「診療科」及び「関連薬剤」との関係で、更なる追加情報も「検索キーワード」情報と関連付けて記憶されている。
すなわち、当該「検索キーワード」について「関連薬剤」が「診療科」との関連でどのように使用されるか等に情報が記憶されている。
具体的には、図４に示すように、「関連薬剤使用頻度情報」、「関連薬剤処方情報」、「関連薬剤副作用発現頻度情報」及び「関連薬剤売上情報」等である。
【００３６】
「関連薬剤使用頻度情報」は、当該「検索キーワード」、例えば、「高血圧性脳症」で、「診療科」である例えば、「外科」が、「関連薬剤」である例えば、「薬剤Ｘ」を使用する頻度が高い等の情報である。
したがって、使用頻度が高い場合は「薬剤Ｘ外科使用頻度高い」との情報が記憶されている。
このため、この「薬剤Ｘ外科使用頻度高い」との「関連薬剤使用頻度情報」を視認した検索者（操作者）は、当該「検索キーワード」を使用することで、薬剤Ｘの外科使用について多くの有益な検索結果を取得できると期待でき、当該「検索キーワード」と積極的に検索文言として採用することができる。
【００３７】
また、「関連薬剤処方情報」は、当該「検索キーワード」、例えば、「高血圧性脳症」で、「診療科」である例えば、「外科」が、「関連薬剤」である例えば、「薬剤Ｘ」を使用した処方例情報等が多いことを示す情報である。
したがって、関連薬剤処方例情報が多い場合は「薬剤Ｘ外科処方情報多い」との情報が記憶されている。
このため、この「薬剤Ｘ外科処方情報多い」との「関連薬剤処方情報」を視認した検索者は、当該「検索キーワード」を使用することで、薬剤Ｘの外科使用について多くの有益な検索結果を取得できると期待でき、当該「検索キーワード」と積極的に検索文言として採用することができる。
【００３８】
また、「関連薬剤副作用発現頻度情報」は、当該「検索キーワード」、例えば、「高血圧性脳症」で、「関連薬剤」である例えば、「薬剤Ｘ」を使用した際の副作用発現頻度が高いか否か等を示す情報である。
したがって、関連薬剤副作用発現頻度が高い場合は「薬剤Ｘ副作用発現頻度高い」との情報が記憶されている。
このため、この「薬剤Ｘ副作用発現頻度高い」との「関連薬剤副作用発現頻度情報」を視認した検索者である例えば、副作用を担当する学術部の担当者は、当該「検索キーワード」を使用することで、薬剤Ｘの副作用について多くの有益な検索結果を取得できると期待でき、当該「検索キーワード」と積極的に検索文言として採用することができる。
【００３９】
また、「関連薬剤売上情報」は、当該「検索キーワード」、例えば、「高血圧性脳症」で、「診療科」である例えば、「外科」が、「関連薬剤」である例えば、「薬剤Ｘ」の売上を示す情報である。
したがって、「関連薬剤」である「薬剤Ｘ」の売上等の「薬剤Ｘ外科売上情報」が記憶されている。
このため、この「薬剤Ｘ外科売上情報」を視認した検索者である例えば、ＭＲ（営業）は、当該「検索キーワード」を使用することで、例えば、売上が高い薬剤Ｘについて多くの有益な検索結果を取得できると期待でき、当該「検索キーワード」と積極的に検索文言として採用することができる。
【００４０】
したがって、ＳＴ６では、「入力情報記憶部３２」の「薬剤Ｘ」と一致する「関連薬剤情報」及び「吐き気」という「関連基礎表現情報」を有する「検索キーワード」があるか否かを判断する。
本実施の形態では、図４の「検索キーワード関連情報記憶部３４」に示すように、上述の条件を満たす「検索キーワード」として、「高血圧性脳症」、「急性閉塞隅角緑内障」「薬剤Ｘの副作用」が該当する。
【００４１】
そこで、ＳＴ７では、該当する「検索キーワード」が存在すると判断し、ＳＴ８へ進む。ＳＴ８では、図４の「暫定検索キーワード特定処理部（プログラム）３３」が動作し、当該「検索キーワード」とその「担当部」と「診療科情報」、例えば、「高血圧性脳症」「ＭＲ（営業）」「外科」、「急性閉塞隅角緑内障」「ＭＲ（営業）」「眼科」、そして「薬剤Ｘの副作用」「学術部」「外科」を図４の「暫定検索キーワード記憶部３５」に記憶する。
【００４２】
また、図４の「検索キーワード関連情報記憶部３４」の当該「検索キーワード」と関連付けられている「関連薬剤使用頻度情報」、「関連薬剤処方情報」、「関連薬剤副作用発現頻度情報」及び「関連薬剤売上情報」も「暫定検索キーワード記憶部３５」に記憶される。
このように、本実施の形態では、ＭＲが検索のための「検索キーワード」を入力しないときでも、入力した基礎表現である「吐き気」と関連ある「検索キーワード」情報を自動的に抽出することができる。
【００４３】
次いで、ＳＴ９へ進む。ＳＴ９では、図５の「属性対応検索キーワード選択処理部（プログラム）４１」が動作して、図４の「入力情報記憶部３２」と図５の「操作者属性情報記憶部４２」を参照する。
「操作者属性情報記憶部４２」には、操作者等を識別する「識別番号」、当該識別番号を有する者の「担当部」と「担当診療科関連情報」、そして、後述する「入力権限」の有無情報等が関連付けて記憶されている。
【００４４】
したがって、ＳＴ９では、「入力情報記憶部３２」の「識別情報」、例えば、「１２３４５」に対応する「操作者属性情報記憶部４２」の「識別番号「１２３４５」」の「担当部」情報（例えば、「ＭＲ（営業）」）と「担当診療科関連情報（例えば、Ｆ病院（脳内外科、一般外科）」を図５の「対応属性情報記憶部４３」に記憶する。
【００４５】
次いで、ＳＴ１０へ進む。ＳＴ１０では、図５の「優先検索キーワード特定処理部（プログラム）４４」が動作し、図４の「暫定検索キーワード記憶部３５」と図５の「対応属性情報記憶部４３」を参照し、「対応属性情報記憶部４３」の「担当部（例えば、「ＭＲ（営業）」）」及び「担当診療科関連情報（例えば、Ｆ病院（脳内外科、一般外科））」と共通する「担当部」と「診療科情報」を有する「検索キーワード」が「暫定検索キーワード記憶部３５」にあるか否かを判断する。
【００４６】
本実施の形態では、「対応属性情報記憶部４３」の「担当部（例えば、「ＭＲ（営業）」）」及び「担当診療科関連情報（例えば、Ｆ病院（脳内外科、一般外科））」と共通する「担当部」である例えば、「ＭＲ（営業）」と「診療科情報」である例えば、「外科」を有する「検索キーワード」である例えば、「高血圧性脳症」が存在する。
このため、ＳＴ１１では該当する検索キーワードが存在すると判断し、該当する「検索キーワード」である例えば、「高血圧性脳症」を優先検索表現情報である例えば、「優先検索キーワード」として「優先検索キーワード記憶部４５」に記憶する。
【００４７】
次いで、ＳＴ１３へ進む。ＳＴ１３では、図６の「検索キーワード候補表示処理部（プログラム）５１」が動作し、図４の「暫定検索キーワード記憶部３５」の「検索キーワード」、例えば、「高血圧性脳症」、「急性閉塞隅角緑内障」、「薬剤Ｘの副作用」を表示すると共に「優先検索キーワード記憶部４５」を参照し、該当する「優先キーワード」、例えば、「高血圧性脳症」を優先順位が高い「検索キーワード」としてタッチパネル１１ａに表示する。
さらに、「入力情報記憶部３２」の「基礎表現」である例えば、「吐き気」も表示する。
【００４８】
また、「暫定検索キーワード記憶部３５」で「検索キーワード」である例えば、「高血圧性脳症」、「急性閉塞隅角緑内障」、「薬剤Ｘの副作用」と関連付けて登録されている「関連薬剤使用頻度情報」、「関連薬剤処方情報」、「関連薬剤副作用発現頻度情報」及び「関連薬剤売上情報」も併せて表示する。
このように「関連薬剤使用頻度情報」等を併せて表示することで、上述のように、効果を発揮する。すなわち、ＭＲ等の検索者が当該「検索キーワード」を使用することで、例えば、売上が高い薬剤Ｘについて多くの有益な検索結果を取得できると期待でき、当該「検索キーワード」と積極的に検索文言として採用することができることになる。
また、逆に、他の「検索キーワード」の選択が適当であると判断することも可能になる。
【００４９】
次いで、タッチパネル１１ａに、これら表示された表現のうち、検索に使用する「検索文言」としてどれを特定するかを選択させる旨の質問がなされる。
【００５０】
このように、本実施の形態では、上述のようにＭＲが検索のための「検索キーワード」を入力しないときでも、入力した基礎表現である「吐き気」と関連ある「検索キーワード」である例えば、「高血圧性脳症」、「急性閉塞隅角緑内障」、「薬剤Ｘの副作用」等を検索用の文言として自動的に抽出し、ＭＲ等の操作者に示すことができる。
また、これらの「検索キーワード」のうち当該ＭＲ等の属性情報等に基づいて関連が深く、優先して使用すべき「検索キーワード」があったときは、その旨を操作者に示すこともできる。
さらに、操作者が入力した「吐き気」等の基礎表現も表示すると共に、「検索キーワード」である例えば、「高血圧性脳症」、「急性閉塞隅角緑内障」、「薬剤Ｘの副作用」と関連付けて登録されている「関連薬剤使用頻度情報」、「関連薬剤処方情報」、「関連薬剤副作用発現頻度情報」及び「関連薬剤売上情報」も併せて表示する。
【００５１】
したがって、操作者は、これらのうち、どの文言等で検索を実行するかを選択できるので、ＭＲとして経験の浅い操作者であっても適切な文言等を選択することで、最適な検索結果を容易に得ることができる。
【００５２】
例えば、専門性の高い医療分野で、専門用語等の知見がなくても、関連する「吐き気」等の基礎表現を入力することで「高血圧性脳症」等の専門性の高い「検索キーワード」を容易に取得することが可能となる。
【００５３】
一方、ＳＴ１１で、該当する検索キーワードが存在しないと判断したときは、ＳＴ１４へ進む。ＳＴ１４では、図４の「暫定検索キーワード記憶部３５」の「検索キーワード」例えば、「高血圧性脳症」、「急性閉塞隅角緑内障」、「薬剤Ｘの副作用」を表示すると共に、「入力情報記憶部３２」の「基礎表現」である例えば、「吐き気」を表示する。
また、「検索キーワード」である例えば、「高血圧性脳症」、「急性閉塞隅角緑内障」、「薬剤Ｘの副作用」と関連付けて登録されている「関連薬剤使用頻度情報」、「関連薬剤処方情報」、「関連薬剤副作用発現頻度情報」及び「関連薬剤売上情報」も併せて表示する。
【００５４】
そして、タッチパネル１１ａに、これら表示された表現のうち、検索に使用する「検索文言」としてどれを特定するかを選択させる旨の質問がなされる。
すなわち、本工程では、ＳＴ１３とは異なり「優先キーワード」表示されない。
【００５５】
次いで、ＳＴ１５へ進む。ＳＴ１５では、操作者が、タッチパネル１１ａに表示されている事項（文言）である「検索文言」を特定したか否かを判断し、特定されたときは、ＳＴ１６で、特定された「検索文言」、例えば、「高血圧性脳症」「吐き気」等を図６の「検索文言記憶部５２」に記憶する。
【００５６】
次いで、ＳＴ１７へ進む。ＳＴ１７では、図６の「検索実行処理部（プログラム）５３」が動作し、「検索文言記憶部５２」に記憶された検索文言、例えば、「検索キーワード」である「高血圧性脳症」、「基礎表現」である「吐き気」等に基づいて、図４の「Ａ製薬会社の文献資料データベース３１内の資料の電子データを全文検索し、検索結果をＭＲ担当等端末１０ａのタッチパネル１１ａに表示する。
【００５７】
一方、ＳＴ７で、基礎表現を入力しても「検索キーワード関連情報記憶部３４」に一致する「検索キーワード」を発見することができなかったときは、ＳＴ１８に進み、「検索キーワード」の一覧から「検索キーワード」を選択し、これと特定の「基礎表現」との組み合わせを記憶するか否かを判断する。
具体的には、ＳＴ１８では、「検索キーワードに対応する「薬剤」及び「基礎表現」を入力しますか？」との質問画面がタッチパネル１１ａに表示される。
【００５８】
ＳＴ１９で基礎表現等の入力をすると判断したときは、ＳＴ２０へ進む。ＳＴ２０では、図６の「検索キーワード一覧記憶部５４」の検索キーワードの一覧を表示して、「検索キーワード」の特定と、特定した検索キーワードに対応する「基礎表現」や「薬剤」の入力を促す。
この「検索キーワード一覧記憶部５４」には、図４の「検索キーワード関連情報記憶部３４」の「高血圧性脳症」等の「検索キーワード」のみならず、担当部や基礎表現等と関連付けられていない他の「検索キーワード」、本実施の形態では「不整脈」等も記憶されている。
【００５９】
次いで、ＳＴ２１へ進む。ＳＴ２１では、「検索キーワード」の特定と「基礎表現」等の入力が終了したか否かを判断し、終了したと判断したときは、ＳＴ２２へ進む。
ＳＴ２２では、特定された例えば、「不整脈」という「検索キーワード」を「新規検索キーワード」とし、また、関連する基礎表現として、入力された例えば、「動悸」を「新規基礎表現」として、相互に関連付けて図６の「新規検索キーワード関連情報記憶部５５」に記憶する。
【００６０】
次いで、ＳＴ２３へ進む。ＳＴ２３では、図６の「登録権限判断処理部（プログラム）５６」が動作し、図５の「操作者属性情報記憶部４２」を参照し、操作者が登録権限を有するか否かを判断する。
具体的には、「操作者属性情報記憶部４２」の当該操作者の識別番号（１２３４５）と関連付けられている「入力権限」にフラグ等が付されているか否かを判断する。
【００６１】
ＳＴ２４で、当該操作者が登録権限を有すると判断したときは、ＳＴ２５へ進む。ＳＴ２５では、図６の「登録権限判断処理部（プログラム）５６」が動作し、ＳＴ２２で「新規検索キーワード関連情報記憶部５５」に記憶された、当該「検索キーワード」である例えば、「不整脈」と、「基礎表現」である例えば、「動悸」を図４の「検索キーワード関連情報記憶部３４」に新規に記憶し、「新規検索キーワード関連情報記憶部５５」からは削除する。
また、当該「検索キーワード」である例えば、「不整脈」と「基礎表現」である例えば、「動悸」をタッチパネル１１ａに表示する。
【００６２】
この「検索キーワード関連情報記憶部３４」は、図１の管理サーバ２０にアクセス可能な全てのＭＲ担当用端末１０ａや学術担当用端末１０ｂ等が「検索キーワード」を検査する際に使用可能な記憶部である。
したがって、登録権限を有する操作者による新たな「検索キーワード」と「基礎表現」の組み合わせを積極的に記憶することで、検索キーワード管理システム１の検索精度が向上し、他の利用者である例えば、各操作者にとって使い易いシステムとなる。
【００６３】
次いで、ＳＴ２６へ進む。ＳＴ２６では、操作者が、タッチパネル１１ａに表示されている事項（文言）である「検索文言」を特定したか否かを判断し、特定されたときは、ＳＴ２７で、特定された「検索文言」、例えば、「不整脈」「動悸」等を図６の「検索文言記憶部５２」に記憶する。
【００６４】
次いで、ＳＴ２８へ進む。ＳＴ２８では、図６の「検索実行処理部（プログラム）５３」が動作し、「検索文言記憶部５２」に記憶された検索文言、例えば、「検索キーワード」である「不整脈」、「基礎表現」である「動悸」等に基づいて、図４の「Ａ製薬会社の文献資料データベース３１内の資料の電子データを全文検索し、検索結果をＭＲ担当等端末１０ａのタッチパネル１１ａに表示する。
【００６５】
一方、ＳＴ２４で、「登録権限」を有していないと判断したときは、ＳＴ２９へ進む。ＳＴ２９では、図６の「新規登録履歴判断処理部（プログラム）５７」が動作し、直近で「新規検索キーワード関連情報記憶部５５」に記憶された「新規検索キーワード（例えば、「不整脈」等）」と、「新規基礎表現（例えば、「動悸」等）」の組み合わせが既登録で存在したか否かを判断する。
【００６６】
ＳＴ３０で、存在すると判断したときは、ＳＴ３１へ進む。ＳＴ３１では、「新規登録履歴判断処理部（プログラム）５７」が動作し、「＋１」の回数情報を付加する。
【００６７】
次いで、ＳＴ３２へ進む。ＳＴ３２では、図７の「登録回数情報判断処理部（プログラム）６１」が動作し、図６の「新規検索キーワード関連情報記憶部５５」に記憶された「新規検索キーワード（例えば、「不整脈」等）」と、「新規基礎表現（例えば、「動悸」等）」の組み合わせに関連付いている「回数情報」が所定回数（例えば、５回）以上か否かを判断する。
【００６８】
ＳＴ３３で、所定回数以上であると判断したときは、ＳＴ３４へ進む。ＳＴ３４では、図７の「登録回数情報判断処理部（プログラム）６１」が動作し、回数情報が所定回数（例えば、５回）以上のときは、この組み合わせを自動的に図４の「検索キーワード関連情報記憶部３４」に記憶し、「新規検索キーワード関連情報記憶部５５」からは削除する。
また、当該「検索キーワード」である例えば、「不整脈」と「基礎表現」である例えば、「動悸」をタッチパネル１１ａに表示する。
【００６９】
この「検索キーワード関連情報記憶部３４」は、上述のように、図１の管理サーバ２０にアクセス可能な全てのＭＲ担当用端末１０ａや学術担当用端末１０ｂ等が「検索キーワード」を検査する際に使用可能な記憶部である。
また、操作者が所定回数、同じ新たな「検索キーワード」と「基礎表現」の組み合わせを選択する場合は、極めて有用な組み合わせであることは明らかである。
そこで、本実施の形態では、同じ「検索キーワード」と「基礎表現」の組み合わせが所定回数、発生したときは、自動的に「検索キーワード関連情報記憶部３４」に記憶する。
これにより、検索キーワード管理システム１の検索精度が向上し、各操作者にとって使い易いシステムとなる。
【００７０】
次いで、ＳＴ３５へ進む。ＳＴ３５では、操作者が、タッチパネル１１ａに表示されている事項（文言）である「検索文言」を特定したか否かを判断し、特定されたときは、ＳＴ３６で、特定された「検索文言」を図６の「検索文言記憶部５２」に記憶する。
【００７１】
次いで、ＳＴ３７へ進む。ＳＴ３７では、図６の「検索実行処理部（プログラム）５３」が動作し、「検索文言記憶部５２」に記憶された検索文言、例えば、「検索キーワード」及び「基礎表現」等に基づいて、図４の「Ａ製薬会社の文献資料データベース３１内の資料の電子データを全文検索し、検索結果をＭＲ担当等端末１０ａのタッチパネル１１ａに表示する。
【００７２】
一方、ＳＴ３３で、所定回数以上でないときは、ＳＴ３８へ進む。ＳＴ３８では、図７の「フラグ情報処理部（プログラム）６２」が動作し、図６の「新規検索キーワード関連情報記憶部５５」の当該組み合わせ部分に「フラグ」を立てる。
【００７３】
次いで、ＳＴ３９へ進む。ＳＴ３９では、「フラグ」が立っている「検索キーワード」と、その「新規基礎表現」をタッチパネル１１ａに表示し、検索文言の特定を促す。
【００７４】
次いで、ＳＴ４０へ進む。ＳＴ４０では、操作者が検索文言を特定したか否かを判断し、特定されたときは、ＳＴ４１で、特定された「検索文言」を図６の「検索文言記憶部５２」に記憶する。
【００７５】
次いで、ＳＴ４２へ進む。ＳＴ４２では、図５の「検索実行処理部（プログラム）５３」が動作し、「検索文言記憶部５２」の文言に基づいて検索実行すると共に、「新規検索キーワード関連情報記憶部５５」の「フラグ」を消す。
【００７６】
なお、本発明は上述の実施の形態に限らない。本実施の形態では、主に情報等を管理サーバ２０で管理する例で説明したが、本発明はこれに限らず、ＭＲ担当用端末１０ａ等が、管理サーバ２０から「検索キーワード関連情報記憶部３４」や「新規検索キーワード関連情報記憶部５５」等の情報を受信した後、管理サーバ２０とはオフラインで、検索を実行し、その後、その結果情報を管理サーバ２０へ送信する構成としても構わない。
【符号の説明】
【００７７】
１・・・検索キーワード管理システム、２・・・インターネット網、３・・・基地局、１０ａ・・・ＭＲ担当端末、１０ｂ・・・学術担当用端末、１１ａ、１１ｂ・・・タッチパネル、１２ａ、１２ｂ・・・入力ボタン、１３ａ・・・端末制御部、１４ａ・・・端末側通信装置、１５ａ・・・端末側各種情報記憶部、２０・・・管理サーバ、２１・・・サーバ制御部、２２・・・サーバ側通信装置、２３・・・サーバ側ディスプレイ、２４・・・サーバ側各種情報入力装置、３０・・・サーバ側第１の各種情報記憶部、３１・・・Ａ製薬会社の文献資料データベース、３２・・・入力情報記憶部、３３・・・暫定検索キーワード特定処理部（プログラム）、３４・・・検索キーワード関連情報記憶部、３５・・・暫定検索キーワード記憶部、４０・・・サーバ側第２の各種情報記憶部、４１・・・属性対応検索キーワード選択処理部（プログラム）、４２・・・操作者属性情報記憶部、４３・・・対応属性情報記憶部、４４・・・優先検索キーワード特定処理部（プログラム）、４５・・・優先検索キーワード記憶部、５０・・・サーバ側第３の各種情報記憶部、５１・・・検索キーワード候補表示処理部（プログラム）、５２・・・検索文言記憶部、５３・・・検索実行処理部（プログラム）、５４・・・検索キーワード一覧記憶部、５５・・・新規検索キーワード関連情報記憶部、５６・・・登録権限判断処理部（プログラム）、５７・・・新規登録履歴判断処理部（プログラム）、６０・・・サーバ側第３の各種情報記憶部、６１・・・登録回数情報判断処理部（プログラム）、６２・・・フラグ情報処理部（プログラム）、Ａ・・・製薬会社
【図１】
0006802623.tif 000002
【図２】
0006802623.tif 000003
【図３】
0006802623.tif 000004
【図４】
0006802623.tif 000005
【図５】
0006802623.tif 000006
【図６】
0006802623.tif 000007
【図７】
0006802623.tif 000008
【図８】
0006802623.tif 000009
【図９】
0006802623.tif 000010
【図１０】
0006802623.tif 000011
【図１１】
0006802623.tif 000012
【図１２】
0006802623.tif 000013